(57)【要約】      （修正有）【課題】オフィス内での設置スペースを確保することが容易であり、邪魔にならず移設も極めて簡単で、盗難にもあいにくい自動体外式除細動器用ボックスを提供する。【解決手段】書類綴などの収納庫内の棚に収納且つ載置自在であると共に、自動体外式除細動器４（以下、ＡＥＤ４という）を収納できる箱体５であって、この箱体５はその一面にＡＥＤ４を出し入れできる開口部６を有する直方体であり、上記の開口部６に開閉扉７を設け且つその開閉扉７に防犯ブザー８を取り付けてなり、開閉扉７を開けた際防犯ブザー８が鳴り、ＡＥＤ４の盗難やいたずらの可能性を知らせると共にその犯人を威嚇し、あるいはＡＥＤ４を使用する状況にあることを、周辺の人々に知らせる。【選択図】図１
0003158890.tif 000002
【実用新案登録請求の範囲】
【請求項１】
本や書類綴などの収納庫内に収納且つ載置自在であると共に、自動体外式除細動器を収納できる箱体であって、該箱体はその一面に前記自動体外式除細動器を出し入れできる開口部を有する直方体であり、前記開口部に開閉扉を設け且つ該開閉扉及び前記箱体のいずれかに防犯ブザーを取り付けてなり、前記開閉扉を開けた際前記防犯ブザーが鳴り、前記自動体外式除細動器の盗難やいたずらの可能性を知らせると共にその犯人を威嚇し、あるいは前記自動体外式除細動器を使用する状況下にあることを知らせることを特徴とする自動体外式除細動器用ボックス。
【請求項２】
前記開閉扉は常時「閉」にするバネを有し、且つ前記自動体外式除細動器の持ち運び用把手を外部に露出する取出し開口を有している請求項１記載の自動体外式除細動器用ボックス。
【請求項３】
前記収納庫と前記箱体との接触部位にすべり止めを設けて、前記箱体内から持ち運び用把手を用いて前記自動体外式除細動器を取り出す際、前記すべり止めにて前記箱体が前記自動体外式除細動器と共に前記収納庫内から脱落しないようにした請求項１または２記載の自動体外式除細動器用ボックス。
【請求項４】
前記箱体と前記収納庫とのいずれかに防犯ブザーを取り付けてなり、前記箱体と前記収納庫との間の接触状態が解除された際、前記防犯ブザーが鳴り、前記自動体外式除細動器の盗難やいたずらの可能性を知らせると共に犯人を威嚇する請求項１、２または３記載の自動体外式除細動器用ボックス。
【請求項５】
前記箱体内に、前記自動体外式除細動器のセルフチェック用点検ランプにおける作動状況を前記開口部に中継する中継装置を、設けてなり、前記中継装置を経由することで、前記開口部にて前記自動体外式除細動器のセルフチェック用点検ランプの視認を可能にした請求項１、２、３または４記載の自動体外式除細動器用ボックス。
【考案の詳細な説明】
【技術分野】
【０００１】  本考案は、本や書類綴などと一緒に収納庫内に収納且つ載置自在であると共に、自動体外式除細動器を収納する自動体外式除細動器用ボックスに関する。
【背景技術】
【０００２】  自動体外式除細動器（Ａｕｔｏｍａｔｅｄ  Ｅｘｔｅｒｎａｌ  Ｄｅｆｉｂｒｉｌｌａｔｏｒの頭文字をとり、以下、単に「ＡＥＤ」という）は、突然心臓がけいれんして、血液を流すポンプ機能を失った状態（心室細動）になった心臓に対し、電気ショックを与え、心臓を正常なリズムに戻すためのものである。人が上記心室細動になると、出来るだけ早くＡＥＤなどにて処置しなければならず、その緊急性は極めて高い。因みに、人が心室細動になってから１０分間以上経過すると、ほぼ１００％の人が助からないと言われている。したがって、ＡＥＤがいたるところに設置され、心室細動に陥った人に対して、ＡＥＤによる処置が直ちになされるのが理想である。【０００３】  このような状況から、ＡＥＤは、そのイニシャルコスト及びランニングコストが高価であるにもかかわらず、最近、会社のオフィス内にも設置され始めている。そのオフィス内でのＡＥＤの設置状況は、高価であることから、盗難やいたずら防止、あるいはＡＥＤ自体の保護のために、専用のボックス内に収納されている。そのボックス自体は、自立型か壁掛け型かである。自立型の場合は、ボックス下に脚が設けられ、さらに、その脚に転倒防止具が設けられた形となり、オフィス内の一角に設置される。一方、壁掛け型の場合は、壁に取付具が取り付けられ、その取付具にボックスが設置される形となり、オフィス内の壁面に固定的に設置されることになる。
【考案の概要】
【考案が解決しようとする課題】
【０００４】  上記した自立型のボックスタイプは、その設置場所を移動することが容易であるが、それなりのスペースを必要とするが、オフィス内でそのスペースを確保するのが難しく、邪魔になるケースがある。また、壁掛け型のボックスタイプは、一度設置してしまうと、設置場所を移動することが困難であり、さらに、オフィス内で設置できる壁面を確保することも難しいケースがある。【０００５】  そこで、本考案は、上記事情に鑑みてなされたもので、オフィス内での設置のスペースを確保することが容易であり、邪魔になることも無く、移設も極めて簡単で、しかも防犯対策も充分な自動体外式除細動器用ボックスを提供することを課題とする。
【課題を解決するための手段】
【０００６】  本考案は、上記課題を達成するために提案されたものであって、下記の構成からなることを特徴とするものである。
すなわち、請求項１記載の考案は、本や書類綴などの収納庫内に収納且つ載置自在であると共に、自動体外式除細動器を収納できる箱体であって、該箱体はその一面に前記自動体外式除細動器を出し入れできる開口部を有する直方体であり、前記開口部に開閉扉を設け且つ該開閉扉及び前記箱体のいずれかに防犯ブザーを取り付けてなり、前記開閉扉を開けた際前記防犯ブザーが鳴り、前記自動体外式除細動器の盗難やいたずらの可能性を知らせると共にその犯人を威嚇し、あるいは前記自動体外式除細動器を使用する状況下にあることを知らせることを特徴とする自動体外式除細動器用ボックスである。【０００７】  また、請求項２記載の考案は、前記開閉扉は常時「閉」にするバネを有し、且つ前記自動体外式除細動器の持ち運び用把手を外部に露出する取出し開口を有していることを特徴とする自動体外式除細動器専用ボックスである。【０００８】  また、請求項３記載の考案は、前記収納庫と前記箱体との接触部位にすべり止めを設けて、前記箱体内から持ち運び用把手を用いて前記自動体外式除細動器を取り出す際、前記すべり止めにて前記箱体が前記自動体外式除細動器と共に前記収納庫内から脱落しないようにしたことを特徴とする自動体外式除細動器用ボックスである。【０００９】  また、請求項４記載の考案は、前記箱体と前記収納庫とのいずれかに防犯ブザーを取り付けてなり、前記箱体と前記収納庫との間の接触状態が解除された際、前記防犯ブザーが鳴り、前記自動体外式除細動器の盗難やいたずらの可能性を知らせると共に犯人を威嚇することを特徴とする自動体外式除細動器用ボックスである。【００１０】  また、請求項５記載の考案は、前記箱体内に、前記自動体外式除細動器のセルフチェック用点検ランプにおける作動状況を前記開口部に中継する中継装置を、設けてなり、前記中継装置を経由することで、前記開口部にて前記自動体外式除細動器のセルフチェック用点検ランプの視認を可能にしたことを特徴とする自動体外式除細動器用ボックスである。【００１１】  上記第１の課題解決手段による作用は次の通りである。すなわち、オフィス内にある本や書類綴などの収納庫内に、自動体外式除細動器用ボックスをそのまま収納且つ載置して保管する。不必要時に、開閉扉を開けると防犯ブザーが鳴るから、自動体外式除細動器の盗難あるいはいたずらの状況下にあることをオフィス内の人々に知らせ、且つその犯人を威嚇する。必要時に、開閉扉を開けて自動体外式除細動器を取り出しても、防犯ブザーが鳴るが、自動体外式除細動器を使用する状況にあることをオフィス内の人々に知らせることになる。【００１２】  上記第２の課題解決手段による作用は、バネにより開閉扉が常時「閉」であるが、その開閉扉の取出し開口から持ち運び用把手が外部に露出しているから、その持ち運び用把手により、箱体内から自動体外式除細動器を引き出すと、バネの反発力に抗して開閉扉を開き取り出せる。【００１３】  上記第３の課題解決手段による作用は、箱体内から持ち運び用把手を用いて自動体外式除細動器を取り出す際、すべり止めにより箱体が収納庫内に残り、箱体が自動体外式除細動器と共に収納庫内から出て落下しない。【００１４】  上記第４の課題解決手段による作用��、自動体外式除細動器を箱体ごと収納庫から取り出すと、箱体と収納庫との間に接触状態が解除されるから、防犯ブザーが鳴り、自動体外式除細動器の盗難やいたずらの可能性を知らせると共にその犯人を威嚇する。【００１５】  上記第５の課題解決手段による作用は、自動体外式除細動器のセルフチェック用点検ランプにおける作動状況が、中継装置により開口部にて視認する。
【考案の効果】
【００１６】  以上詳述したように、本考案によれば、以下のような効果がある。
請求項１記載の考案は、オフィス内に必ず設置されている、本や書類綴などの収納庫内に自動体外式除細動器用ボックスを収納且つ載置できるから、オフィス内での設置もスペースを確保することも容易であり、邪魔になることも無く、移設も極めて簡単であり、防犯対策も充分である効果がある。【００１７】  また、請求項２記載の考案は、上記の効果に加えて、開閉扉を開ける手間も必要としないで、箱体内から自動体外式除細動器を取り出せる効果がある。【００１８】  また、請求項３記載の考案は、上記の効果に加えて、自動体外式除細動器を取り出す際、箱体が共に収納庫内から落下せず、足下に当たることがない効果がある。【００１９】  また、請求項４記載の考案は、上記の効果に加えて、自動体外式除細動器が箱体ごと収納庫から取り出されて盗難されたり、いたずらされる可能性を減らせる効果がある。【００２０】  また、請求項５記載の考案は、上記の効果に加えて、自動体外式除細動器のセルフチェック用点検ランプがどの位置にあっても、そのセルフチェック用点検ランプの作動状況を開口部にて視認することができる効果がある。
【図面の簡単な説明】
【００２１】
【図１】本考案の実施の形態を示す自動体外式除細動器用ボックスの斜視図である（実施例１）。
【図２】本考案の自動体外式除細動器用ボックスの収納庫における保管状態を示す正面図である（実施例１）。
【図３】本考案の自動体外式除細動器用ボックスにおける開閉扉の取り付け状態を示す断面図である（実施例１）。
【図４】本考案の自動体外式除細動器用ボックスにおける箱体と収納庫との間のすべり止めの取り付け状態を示す断面図である（実施例１）。
【図５】本考案の自動体外式除細動器用ボックスにおける防犯のための系統図である（実施例１）。
【図６】本考案の自動体外式除細動器用ボックスにおける中継装置の系統図である（実施例１）。
【図７】本考案の自動体外式除細動器用ボックスの使用状態を示す斜視図である（実施例１）。
【考案を実施するための形態】
【実施例１】
【００２２】  図面において、自動体外式除細動器用ボックス１は、本や書類綴などの収納庫２内の棚３に収納且つ載置自在であると共に、自動体外式除細動器４（以下、ＡＥＤ４として説明する）を収納できる箱体５であって、この箱体５はその一面にＡＥＤ４を出し入れできる開口部６を有する直方体であり、上記の開口部６に開閉扉７を設け且つその開閉扉７及び箱体５のいずれかに防犯ブザー８を取り付けてなり、開閉扉７を開けた際防犯ブザー８が鳴り、ＡＥＤ４の盗難やいたずらの可能性を知らせると共にその犯人を威嚇し、あるいはＡＥＤ４を使用する状況下にあることを、収納庫２設置周辺の人々に知らせることを特徴とするものである。【００２３】  前記収納庫２は、箱体５の大きさがほぼＡ４サイズなので、通常オフィスにある本箱、ロッカー、書類棚、キャビネットなど、本や書類綴などを保管できるものであれば、特に限定がない。そして、自動体外式除細動器用ボックス１は、図２に示すように、収納庫２の棚３に収納且つ載置される。【００２４】  また、前記ＡＥＤ４は、突然心臓がけいれんして、心室細動になった人の心臓に対し、電気ショックを与え、心臓を正常なリズムに戻すことができるものであれば、特に限定がない。しかしながら、このＡＥＤ４は、高価であり、そのメンテナンスもきめ細かく行っていないと、必要時にその機能を果たさないことがある。したがって、このＡＥＤ４を収納する自動体外式除細動器用ボックス１は、ＡＥＤ４自体を外部からの汚染や衝撃などから保護し、盗難やいたずらを防ぎ、且つＡＥＤ４のメンテナンスも容易にできるものでなければならない。【００２５】  前記自動体外式除細動器用ボックス１の直方体である箱体５は、既述のように、ほぼＡ４サイズであり、その厚みは、メーカーによって若干の差があるものの、ＡＥＤ４の厚みが１００ｍｍ前後であるから、たかだか１５０ｍｍとなる。この箱体５はその一面に開口部６があり、その開口部６の両端に開閉扉７、７ａが設けられている。この開閉扉７、７ａは、図３に示すように、バネ付き頂番１０にて開口部６に取り付けられ、常時「閉」の状態が保持されている。さらに、この開閉扉７は、その一部が切り欠かれて取り出し開口１１が形成されている。この取り出し開口１１は、ＡＥＤ４の持ち運び用把手１２を外部に露出して、その持ち運び用把手１２を人手によりつかみ、ＡＥＤ４を箱体５内から引き出すと、バネ付き頂番１０のバネ力の反発力に抗して開閉扉７を開け取り出せる。したがって、開閉扉７を開ける手間も必要としないで、箱体５内からＡＥＤ４を直ちに取り出せる。【００２６】  また、前記収納庫２と前記箱体５との接触部位には、図４に示すように、すべり止め１３が設けられ、箱体５内から持ち運び用把手１２によりＡＥＤ４が勢いよく取り出されても、すべり止め１３によって箱体５が収納庫２内に残り、ＡＥＤ４と共に収納庫２内から箱体５が飛び出して脱落しないようにしている。すなわち、人が箱体５内からＡＥＤ４を取り出す時は、一刻を争う状態であるから、持ち運び用把手１２を強く引っ張ることになって、箱体５内からＡＥＤ４を取り出すつもりが、箱体５も一緒に収納庫２から取り出しかねない。その際、箱体５が落下し足もとに当たる��能性が出てきて、危険であると共にＡＥＤ４の持ち出しが遅れる結果になる。【００２７】  そして、この自動体外式除細動器用ボックス１には、開閉扉７の「開」を検知する図５の扉開閉センサ２０が取り付けられ、さらに、この扉開閉センサ２０の情報に基づき鳴る防犯ブザー８も取り付けられている。したがって、ＡＥＤ４にいたずらしようとし、あるいは盗もうとして自動体外式除細動器用ボックス１の開閉扉７を開けると、扉開閉センサ２０が開閉扉７の「開」を検知して、防犯ブザー８を鳴らせるから、犯人は驚き逃げることになり、これらを未然に防ぐことが出来る。【００２８】  一方、前記収納庫２から自動体外式除細動器用ボックス１ごと取り出され、いたずらされたり、あるいは盗まれることも予想される。したがって、自動体外式除細動器用ボックス１の箱体５と収納庫２の棚３との間のいずれかに、図５のボックス離脱センサ２１が取り付けられ、さらに、このボックス離脱センサ２１の情報に基づき鳴る防犯ブザー８ａも取り付けられている。このため、ＡＥＤ４にいたずらしようとし、あるいは盗もうとして自動体外式除細動器用ボックス１を収納庫２から持ち出すと、ボックス離脱センサ２１が自動体外式除細動器用ボックス１の収納庫２からの「離脱」を検知して、防犯ブザー８ａを鳴らせるから、犯人は防犯ブザー８ａが鳴っている自動体外式除細動器用ボックス１を持っていることになり、驚き逃げることになり、これらを未然に防ぐことが出来る。【００２９】  ただし、正規にＡＥＤ４を使用するために、自動体外式除細動器用ボックス１の開閉扉７を開けても、正規使用といたずら及び盗難とは区別が付かないから、扉開閉センサ２０が開閉扉７の「開」を検知して、防犯ブザー８が鳴ることになる。しかしながら、ＡＥＤ４を正規使用する場合は、一刻を争うので、正規使用といたずら及び盗難とを区別して、正規使用の場合のみ開閉扉７を開けることが出来るようにすると、あわてている正規使用者は、結局開閉扉７をなかなか開けることが出来ず、自動体外式除細動器用ボックス１の箱体５からＡＥＤ４を取り出すのに時間がかかることになってしまう虞がある。したがって、正規使用の場合以外でも、防犯ブザー８を鳴らすことだけに留めた。また、同様ことが前記収納庫２から自動体外式除細動器用ボックス１を取り出す際にも言えて、正規使用の場合以外でも、防犯ブザー８ａを鳴らすことだけに留めた。【００３０】  なお、扉開閉センサ２０及び防犯ブザー８並びにボックス離脱センサ２１及び防犯ブザー８ａは、いずれも上記した目的及びその目的を果たす機能を有するものであれば、特に限定がない。【００３１】  また、前記自動体外式除細動器用ボックス１の箱体５内には、図６に示すように、ＡＥＤ４のセルフチェック用点検ランプ２２における作動状況を開口部６に中継する中継装置２３が、設けられている。このセルフチェック用点検ランプ２２は、例えば、緑色ランプが点灯している場合は正常に作動できる状態であることを示し、赤色ランプが点灯している場合は異常であり正常に作動できない状態であることを示すものである。【００３２】  この中継装置２３は、セルフチェック用点検ランプ２２の点灯光を屈折反射するプリズム２４、２５を備��ている。この中継装置２３の構成は、ＡＥＤ４に取り付けられているセルフチェック用点検ランプ２２の位置によって異なり、この例ではプリズムが２個の場合を示した。ＡＥＤ４の種類によっては、開口部６の部位でそのままセルフチェック用点検ランプ２２における作動状況を視認できる場合もあり、逆に、プリズムが２個でも足らない場合も考えられる。いずれにしても、セルフチェック用点検ランプ２２の点灯光を視認できる位置は、開口部６の部位であるので、この部位にて人の目２６により上記点灯光を視認できなければならないから、通常中継装置２３が必要となる。【００３３】  次に、上記構成になる自動体外式除細動器用ボックス１の作動状況を詳述する。
まず、選択したＡＥＤ４に対応した自動体外式除細動器用ボックス１の箱体５内に、開閉扉７を開きＡＥＤ４を収納する。その際、ＡＥＤ４の持ち運び用把手１２が開閉扉７の取り出し開口１１から外部に露出するようにする。その状態まま自動体外式除細動器用ボックス１をオフィス内の指定した収納庫２の棚３に収納載置する。その後、ＡＥＤ４の管理責任者は、定められた管理規定に従いセルフチェック用点検ランプ２２の作動状態を監視して、ＡＥＤ４の正常作動を常時保持する。【００３４】  次に、オフィスで心室細動になった人が発見されると、救助者は収納庫２に急行し、その棚３に収納載置されている自動体外式除細動器用ボックス１内から露出している持ち運び用把手１２をつかみ、ＡＥＤ４を箱体５内から引き出すと、開閉扉７が開きＡＥＤ４を取り出すことができる（図７参照）。その際、防犯ブザー８が鳴るが、救助者は、正規使用なので意に介せずＡＥＤ４を持ち出し、心室細動になった人に対して使用して蘇生させることが可能となる。一方、防犯ブザー８が鳴ることにより、オフィスの人々にＡＥＤ４を使用する状況下にあること、すなわち、心室細動になった人がいることを、知らせることになり、オフィスの他の人々の協力を得やすくなる。【００３５】  なお、自動体外式除細動器用ボックス１の箱体５内から持ち運び用把手１２をつかみ、ＡＥＤ４を強く引き出そうとすると、箱体５もＡＥＤ４に連れて収納庫２の棚３から引き出され、落下して救助者の足下に落ちる可能性があるが、すべり止め１３によって箱体５が収納庫２内に残り、その危険性が無い。【００３６】  いたずらや窃盗目的で自動体外式除細動器用ボックス１内からＡＥＤ４を引き出すと、扉開閉センサ２０が開閉扉７の「開」を検知して、防犯ブザー８が鳴るから、犯人は驚き逃げることになり、これらを未然に防ぐことが出来る。【００３７】  さらに、いたずらや窃盗目的で自動体外式除細動器用ボックス１ごと収納庫２内から引き出すと、ボックス離脱センサ２１が収納庫２からの「離脱」を検知して、防犯ブザー８ａを鳴らせるから、犯人は防犯ブザー８ａが鳴っている自動体外式除細動器用ボックス１を持っていることになり、驚き逃げることになって、これらを未然に防ぐことが出来る。【００３８】  以上、本考案の実施例１を説明したが、具体的な構成はこれに限定されず、本考案の要旨を逸脱しない範囲での変更・追加、各請求項における他の組み合わせにかかるものも、適宜可能であることが理解されるべきである。
【産業上の利用可能性】
【００３９】  本考案の自動体外式除細動器用ボックスは、オフィス内での設置のスペースを容易に確保したく、邪魔にならず移設も極めて簡単であり、盗難にもあいずらくしたいような場合に、利用可能性が極めて高くなる。
【符号の説明】
【００４０】１                    自動体外式除細動器用ボックス
２                    収納庫
３                    棚
４                    自動体外式除細動器（ＡＥＤ４）
５                    箱体
６                    開口部
７、７ａ              開閉扉
８、８ａ              防犯ブザー
１０                  バネ付き頂番
１１                  取り出し開口
１２                  持ち運び用把手
１３                  すべり止め
２０                  扉開閉センサ
２１                  ボックス離脱センサ
２２                  セルフチェック用点検ランプ
２３                  中継装置
２４、２５            プリズム
２６                  人の目
【図１】
0003158890.tif 000003
【図２】
0003158890.tif 000004
【図３】
0003158890.tif 000005
【図４】
0003158890.tif 000006
【図５】
0003158890.tif 000007
【図６】
0003158890.tif 000008
【図７】
0003158890.tif 000009